(57)【要約】【課題】大地溝帯はどのようにできたか。アフリカの東部から、「東南アジア大陸」とインド半島と「オーストラリアの大陸」を分裂させたものは、チャゴス・ラカデイブ海嶺と中央インド洋海嶺と南西インド洋海嶺です。この3つの海嶺を作った隕石はどこに落ちたか。大西洋中央海領を作った隕石は赤道付近のロマンシュ海溝に落ちた事は何によって立証できるか。アカバ湾はどのようにできたか。【解決手段】大地溝帯であるアフリカ大陸の東リフト・バレーと、西リフト・バレーと、ニアサ・リフト・バレーの交差点に隕石は落ちた。隕石は3つの海嶺の交差点の緯度に落ちた。大西洋中央海領を作った隕石は赤道付近のロマンシュ海溝に落ちた。それはギニア湾に沈んでいるアフリカ大陸の一部に落ちた。アカバ湾に円形のグリーンホールがある。それは隕石が落ちた痕です。【選択図】図２
2015046951.tif 000002
【特許請求の範囲】
【請求項１】
大地溝帯はどのようにできたか。
大地溝帯を作った隕石はマラウイ湖に落ちた。
マラウイ湖に落ちた隕石は、アフリカ大陸の東リフト・バレーと、西リフト・バレーと、ニアサ・リフト・バレーを作った。そしてたくさんの川を作った。ナイル川も作った。
もし、大地溝帯が自然に地殻変動により、できたのであれば、東リフト・バレーと、西リフト・バレーと、ニアサ・リフト・バレーに分かれているのは不自然です。
東リフト・バレーと、西リフト・バレーと、ニアサ・リフト・バレーの中心点に、地殻変動を起こした何かが存在するはずです。
その何かは地殻変動をおこす力のあるものです。
地殻変動を起こす力のあるものは隕石の落下です。
隕石が落ちて、地殻に当たり地殻に亀裂を生じさせた。
その亀裂からマグマが出て、地殻を広げた。
隕石が落ちて、地殻に当たり、亀裂を生じさせたのは1方向ではなかった。3方向に亀裂は生じた。
その亀裂が東リフト・バレーと、西リフト・バレーと、ニアサ・リフト・バレーである。
隕石が落ちた点は東リフト・バレーと、西リフト・バレーと、ニアサ・リフト・バレーの中心点である、現在のマラウイ湖です。
【請求項２】
アフリカの東部から、「東南アジア大陸」とインド半島と「オーストラリアの大陸」を分裂させたものは、チャゴス・ラカデイブ海嶺と中央インド洋海嶺と南西インド洋海嶺です。これを作った隕石はどこに落ちたか。
隕石の落下により、チャゴス・ラカデイブ海嶺と中央インド洋海嶺と南西インド洋海嶺ができたのであるから、隕石はこの3つの海嶺の交差点に落ちたと考える。それは南緯10°〜20°です。隕石が落ちた点はアフリカ大陸の東端で、南緯10°〜20°の部分です。
それはモザンビーク海峡です。
チャゴス・ラカデイブ海嶺と中央インド洋海嶺と南西インド洋海嶺を作った隕石はモザンビーク海峡に落ちた。
【請求項３】
インド洋中央海領を作った隕石はモザンビーク海峡に落ちた。この地点とマラウイ湖は近い。この事から何が考えられるか。
この事は、マラウイ湖に落ちた隕石とモザンビーク海峡に落ちた隕石は同じ時代(同じ時)に宇宙からやってきて落ちたと考えられる。
マラウイ湖に落ちた隕石は小さく(軽く)、マダガスカルの辺に落ちた隕石は大きかった(重かった)。
それで、マラウイ湖に落ちた隕石は小さかった(軽かった)ので、東リフト・バレーと、西リフト・バレーと、ニアサ・リフト・バレーを作った。
モザンビーク海峡に落ちた隕石は大きかった(重かった)ので、チャゴス・ラカデイブ海嶺と中央インド洋海嶺と南西インド洋海嶺を作った。
【請求項４】
大西洋中央海領を作った隕石は赤道付近のロマンシュ海溝に落ちた事は何によって立証できるか。
大西洋中央海領を作った隕石はギニア湾に沈んでいるアフリカ大陸の一部に落ちた。
隕石が落ちたので、ギニア湾に沈んでいるアフリカ大陸の一部、ナイジェリア国の南、カメルーン国の西側は陥没している。
大西洋中央海領と同じ深海、海底に陥没している。この事により立証できる。
ここは、現在、赤道付近のロマンシュ海溝です。  大西洋中央海領の最も低い地点です。
【請求項５】
東リフト・バレーの北、アカバ湾は隕石の落下によりできた。
アカバ湾にはブルーホールがある。それは隕石が落下した痕です。
アカバ湾になっている地点に隕石が落ち、アカバ湾の深い海中渓谷ができ、ヨルダンの黒い渓谷ができた。
アカバ湾になっている地点に隕石が落ち、地殻を亀裂させ、マグマが噴出し、その部分が隆起し、現在、黒い大地になっている。
黒い大地は海底時代、マグマの噴出によりできた。
【発明の詳細な説明】
【技術分野】
【０００１】
本発明は、大地溝帯に関する。チャゴス・ラカデイブ海嶺と中央インド洋海嶺と南西インド洋海嶺に関する。大西洋中央海嶺を作った隕石は、赤道付近のロマンシュ海講に落ちた事に関する。アカバ湾に関する。
【背景技術】
【０００２】
私は大陸の移動は隕石が落下し、地殻を分裂し、地殻の下に亀裂を生じさせ、そこからマグマが噴出し、海峡や海領を作った。そして、大陸を移動させたと考えた。
2011年11月24日に提出した、特願2011−256192、「大西洋中央海嶺とインド洋中央海嶺と大陸の移動」において次のように記した。
「請求項2」  隕石はどこに落ちて大陸を分離させたか。
海領の最も深い部分に隕石は落ちた。
「請求項3」  大西洋中央海領を作った隕石はどこに落ちたか。
赤道付近のロマンシュ海溝は大西洋中央海嶺を北と南に分ける長さ300km、幅19kmの狭い海底谷で、水深は7758mです。
それで、大西洋中央海領を作った隕石は赤道付近のロマンシュ海溝に落ちた。
赤道付近のロマンシュ海溝に落ちた隕石は、地殻を亀裂させ、マグマを噴出させ、大西洋中央海領を作った。
この大西洋中央海領が大陸を左右に分離した。
「請求項5」  アフリカの東部から、「東南アジア大陸」とインド半島と「オーストラリアの大陸」を分裂させたものは、インド洋中央海領を作った隕石です。それは現在インド洋中央海領の最も深い部分です。それで、マダガスカル島とインド半島は衝撃を強く受け、分離したのかもしれない。
インド洋中央海領を作った隕石は、マダガスカルの辺に落ちたのかもしれない。
「請求項6」  インド洋中央海領を作った隕石はいつ落ちたか。
隕石が落ち、地殻を亀裂させ、マグマが地下に噴出し、そのエネルギーが大陸を左右に分離させた。その分離させた時、動物たちはその左右に分離した大陸に乗っていた。それで、隕石が落ちたのは、哺乳類が存在した後の時代です。象やライオンやトラやヤギュウやサイや鹿や猿やジャッカルやスローロリスが存在した後の時代に大陸は分離した。
【先行技術文献】
【特許文献】
【０００３】
【特許文献１】特願2009−165179
【特許文献２】特願2009−168464
【特許文献３】特願2009−170811
【特許文献４】特願2009−186278
【特許文献５】特願2009−209866
【特許文献６】特願2009−230099
【特許文献７】特願2011−256192
【特許文献８】特願2011−259978
【特許文献９】特願2013−167629
【発明の概要】
【発明が解決しようとする課題】
【０００４】
大地溝帯はどのようにできたか。
アフリカの東部から、「東南アジア大陸」とインド半島と「オーストラリアの大陸」を分裂させたものは、チャゴス・ラカデイブ海嶺と中央インド洋海嶺と南西インド洋海嶺を作った隕石です。この隕石はどこに落ちたか。
大西洋中央海領を作った隕石は赤道付近のロマンシュ海溝に落ちた事は何によって立証できるか。
アカバ湾はどのようにできたか。
【課題を解決するための手段】
【０００５】
大地溝帯は隕石が落ちたことによってできたと考える。
アフリカの東部から、「東南アジア大陸」とインド半島と「オーストラリアの大陸」を分裂させたものは、チャゴス・ラカデイブ海嶺と中央インド洋海嶺と南西インド洋海嶺を作った隕石です。この隕石はチャゴス・ラカデイブ海嶺と中央インド洋海嶺と南西インド洋海嶺を作った。それで、隕石は3つの海嶺の交差点に落ちたと考える。その点は陥没している。
大西洋中央海領を作った隕石は赤道付近のロマンシュ海溝に落ちた事は、隕石が落ちた部分は陥没している事によって立証できる。
アカバ湾にはグリーンホールがある。それは隕石が落下した痕です。
【発明の効果】
【０００６】
・大地溝帯を作った隕石はマラウイ湖に落ちた。
マラウイ湖に落ちた隕石は、アフリカ大陸の東リフト・バレーと、西リフト・バレーと、ニアサ・リフト・バレーを作った。そしてたくさんの川を作った。ナイル川も作った。
・アフリカの東部から、「東南アジア大陸」とインド半島と「オーストラリアの大陸」を分裂させたものは、チャゴス・ラカデイブ海嶺と中央インド洋海嶺と南西インド洋海嶺です。
隕石はこの3つの海嶺の交差点に落ちた。それは南緯10°〜20°です。隕石が落ちた点はアフリカ大陸の東端で、南緯10°〜20°の部分です。
チャゴス・ラカデイブ海嶺と中央インド洋海嶺と南西インド洋海嶺を作った隕石はモザンビーク海峡に落ちた。
・マラウイ湖に落ちた隕石とモザンビーク海峡に落ちた隕石は同じ時代(同じ時)に宇宙からやってきて落ちたと考えられる。
マラウイ湖に落ちた隕石は小さく(軽く)、マダガスカルの辺に落ちた隕石は大きかった(重かった)。
それで、マラウイ湖に落ちた隕石は小さかった(軽かった)ので、東リフト・バレーと、西リフト・バレーと、ニアサ・リフト・バレーを作った。
モザンビーク海峡に落ちた隕石は大きかった(重かった)ので、チャゴス・ラカデイブ海嶺と中央インド洋海嶺と南西インド洋海嶺を作った。
・大西洋中央海領を作った隕石はギニア湾に沈んでいるアフリカ大陸の西端の一部に落ちた。
隕石が落ちたので、ギニア湾に沈んでいるアフリカ大陸の一部、ナイジェリア国の南、カメルーン国の西側は陥没している。大西洋中央海領と同じ深海、海底に陥没している。
・アカバ湾にはグリーンホールがある。それは隕石が落下した痕です。
アカバ湾になっている地点に隕石が落ち、地殻を亀裂させ、マグマが噴出し、その部分が隆起し、現在、黒い大地になっている。
【図面の簡単な説明】
【０００７】
【図１】図１は、マラウイ湖に落ちた隕石は、アフリカ大陸の東リフト・バレーと、西リフト・バレーと、ニアサ・リフト・バレーを作った。そしてたくさんの川を作った。ナイル川も作った事を示す。
【図２】図２は、アフリカの東部から、「東南アジア大陸」とインド半島と「オーストラリアの大陸」を分裂させたものは、チャゴス・ラカデイブ海嶺と中央インド洋海嶺と南西インド洋海嶺です。隕石の落下により、チャゴス・ラカデイブ海嶺と中央インド洋海嶺と南西インド洋海嶺ができたのであるから、隕石はこの3つの海嶺の交差点に落ちたと考える。それは南緯10°〜20°です。隕石が落ちた点はアフリカ大陸の東端で、南緯10°〜20°の部分です。それはモザンビーク海峡です。
【図３】図３は、大西洋中央海嶺を作った隕石はギニア湾に沈んでいるアフリカ大陸の一部に落ちた事を示す。
【発明を実施するための形態】
【０００８】
１．    大地溝帯はどのようにできたか。
大地溝帯を作った隕石はマラウイ湖に落ちた。
マラウイ湖に落ちた隕石は、アフリカ大陸の東リフト・バレーと、西リフト・バレーと、ニアサ・リフト・バレーを作った。そしてたくさんの川を作った。ナイル川も作った。
もし、大地溝帯が自然に地殻変動により、できたのであれば、東リフト・バレーと、西リフト・バレーと、ニアサ・リフト・バレーに分かれているのは不自然です。
東リフト・バレーと、西リフト・バレーと、ニアサ・リフト・バレーの中心点に、地殻変動を起こした何かが存在するはずです。
その何かは地殻変動をおこす力のあるものです。
地殻変動を起こす力のあるものは隕石の落下です。
隕石が落ちて、地殻に当たり地殻に亀裂を生じさせた。
その亀裂からマグマが出て、地殻を広げた。
隕石が落ちて、地殻に当たり、亀裂を生じさせたのは1方向ではなかった。3方向に亀裂は生じた。
その亀裂が東リフト・バレーと、西リフト・バレーと、ニアサ・リフト・バレーである。
隕石が落ちた点は東リフト・バレーと、西リフト・バレーと、ニアサ・リフト・バレーの中心点である、現在のマラウイ湖です。
２．    アフリカの東部から、「東南アジア大陸」とインド半島と「オーストラリアの大陸」を分裂させたものは、チャゴス・ラカデイブ海嶺と中央インド洋海嶺と南西インド洋海嶺です。これを作った隕石はどこに落ちたか。
隕石の落下により、チャゴス・ラカデイブ海嶺と中央インド洋海嶺と南西インド洋海嶺ができたのであるから、隕石はこの3つの海嶺の交差点に落ちたと考える。それは南緯10°〜20°です。隕石が落ちた点はアフリカ大陸の東端で、南緯10°〜20°の部分です。
それはモザンビーク海峡です。
チャゴス・ラカデイブ海嶺と中央インド洋海嶺と南西インド洋海嶺を作った隕石はモザンビーク海峡に落ちた。
３．    インド洋中央海領を作った隕石はモザンビーク海峡に落ちた。この地点とマラウイ湖は近い。この事から何が考えられるか。
この事は、マラウイ湖に落ちた隕石とモザンビーク海峡に落ちた隕石は同じ時代(同じ時)に宇宙からやってきて落ちたと考えられる。
マラウイ湖に落ちた隕石は小さく(軽く)、マダガスカルの辺に落ちた隕石は大きかった(重かった)。
それで、マラウイ湖に落ちた隕石は小さかった(軽かった)ので、東リフト・バレーと、西リフト・バレーと、ニアサ・リフト・バレーを作った。
モザンビーク海峡に落ちた隕石は大きかった(重かった)ので、チャゴス・ラカデイブ海嶺と中央インド洋海嶺と南西インド洋海嶺を作った。
４．    大西洋中央海領を作った隕石は赤道付近のロマンシュ海溝に落ちた事は何によって立証できるか。
大西洋中央海領を作った隕石はギニア湾に沈んでいるアフリカ大陸の一部に落ちた。
隕石が落ちたので、ギニア湾に沈んでいるアフリカ大陸の一部、ナイジェリア国の南、カメルーン国の西側は陥没している。
大西洋中央海領と同じ深海、海底に陥没している。この事により立証できる。
ここは、現在、赤道付近のロマンシュ海溝です。  大西洋中央海領の最も低い地点です。
５．    東リフト・バレーの北、アカバ湾は隕石の落下によりできた。
アカバ湾にはブルーホールがある。それは隕石が落下した痕です。
アカバ湾になっている地点に隕石が落ち、アカバ湾の深い海中渓谷ができ、ヨルダンの黒い渓谷ができた。
アカバ湾になっている地点に隕石が落ち、地殻を亀裂させ、マグマが噴出した。その部分が隆起し、現在、黒い大地になっている。
黒い大地は海底時代、マグマの噴出によりできた。
【産業上の利用可能性】
【０００９】
大地溝帯起源を理解することは、石油の埋蔵地や資源の埋蔵地を予測することに貢献する。
【符号の説明】
【００１０】
１    マラウイ湖
２    東リフト・バレー
３    西リフト・バレー
４    ニアサ・リフト・バレー
５    ナイル川
６    チャゴス・ラカデイブ海嶺
７    中央インド洋海嶺
８    南西インド洋海嶺
９    「東南アジア大陸」の一部
１０    インド半島の一部
１１    「オーストラリアの大陸」の一部
１２    モザンビーク海峡
１３    大西洋中央海嶺を作った隕石が落ちた所
【図１】
2015046951.tif 000003
【図２】
2015046951.tif 000004
【図３】
2015046951.tif 000005